(57)【要約】      （修正有）【課題】大画面化しても画面の輝度むらが少ない画像表示装置を提供する。【解決手段】導光板２と一対の電極部１３を有し導光板の一端面２ｂに沿い対向配置された棒状の光源１１ＬＴと導光板の一面に反射シートを介して密着配置されたフレーム８とを有し、光源からの光が導光板の一端面から入光して導光板の他面から出光する構成であり、フレームは導光板の一端面における一対の電極部１３と対応する位置から光源と離隔する方向に導光板の途中の位置まで延在して反射シートとフレームとの間に空間を形成する一対の凸部８ａ−３を有し、その延在方向の各両端部に内外の空間を繋ぐ通気口８ａ１−３，８ａ２−３を有する面光源装置と、この面光源装置の導光板の他面と対向して配置され画像を表示する液晶パネルとを備え、導光板の一端面を液晶パネルに表示する画像の地側に配置した。【選択図】図１２
2008153164.tif 000002
【特許請求の範囲】
【請求項１】
導光板と、一対の電極部を有し前記導光板の一端面に沿って対向配置された棒状の光源と、前記導光板の一面に反射シートを介して密着配置されたフレームと、を有して、前記光源からの光が前記導光板の前記一端面から入光して該導光板の他面から出光するよう構成され、前記フレームは、前記導光板の前記一端面における前記一対の電極部と対応する位置から前記光源と離隔する方向に前記導光板の途中の位置まで延在して前記反射シートと当該フレームとの間に空間を形成する一対の凸部を有し、該一対の凸部の前記延在方向の両端部それぞれに前記空間と外部の空間とを繋ぐ通気口が設けられている面光源装置と、
該面光源装置の前記導光板の前記他面と対向して配置されて画像を表示する液晶パネルと、
を備え、
前記面光源装置の前記導光板の前記一端面を、前記液晶パネルに表示する画像の地側に配置したことを特徴とする画像表示装置。
【請求項２】
前記フレームは、前記一対の凸部の間に、前記導光板の前記一端面から前記光源と離隔する方向に前記導光板の途中の位置まで延在して前記反射シートと当該フレームとの間に空間を形成する中間凸部を備え、
該中間凸部の前記延在方向の両端部それぞれに前記空間と外部の空間とを繋ぐ通気口が設けられていることを特徴とする画像表示装置。
【発明の詳細な説明】
【技術分野】
【０００１】
本発明は、画像表示装置に係り、特に、導光板を用い、その側面（端面）から光を入射させて導光板を面発光させるエッジライト方式の面光源装置と、その面光源装置をバックライトとして用いた液晶表示装置と、その液晶表示装置を用いた画像表示装置と、に関する。
【背景技術】
【０００２】
近年、ディスプレイやテレビジョン装置の画像表示には、液晶パネルを用いた液晶表示装置が多用されている。この液晶表示装置には、その背面側にいわゆるバックライトとして面光源装置が配設される。
このような液晶表示装置などの例が、特許文献１乃至５に記載されている。
【０００３】
そして、面光源装置は、構造上次の二つの型に大別される。
すなわち、一方が「直下型」であり、他方が「エッジライト型」である。
直下型は、棒状光源を被照射体（液晶表示装置の場合は液晶パネル）の背面に対向して所定間隔で複数配設し、各棒状光源からの光を被照射体の背面側から照射する形態であり、特許文献４及び特許文献５に例示されている。
【０００４】
エッジライト型は、被照射体の背面側にその表示エリアに対応するサイズの導光板を配設すると共に、その導光板の側面（端面）に対向して棒状光源を配置し、その棒状光源からの光を側面から入射させて導光板を面発光させることで被照射体を背面側から面照射する形態であり、特許文献１乃至３に例示されている。
【特許文献１】特開平５−２１６４号公報
【特許文献２】特開平１１−２４０７２号公報
【特許文献３】特開２００４−３３３９９６号公報
【特許文献４】特開２００２−１８９２０７号公報
【特許文献５】特開２００５−１２１８９７号公報
【発明の開示】
【発明が解決しようとする課題】
【０００５】
エッジライト型の光源装置やそれを搭載した液晶表示装置などにおいては、棒状光源が導光板の側面側に配設されて薄型化が可能であるというメリットがある。特に、近年は画像表示装置に対する薄型化の要求が強いが、このような要求にエッジライト型は良好に応えることができる。
【０００６】
しかしながら、直下型のように棒状光源が分散して配設されるものではなく、導光板の端部近傍に配設されることから、棒状光源の発熱による導光板の温度上昇は、その棒状光源の配設位置近傍に偏って生じる。
従って、導光板の温度分布が、棒状光源からの距離が近い部位程温度が高くなって不均一になることから、隣接する液晶パネルの温度分布も不均一になって輝度むらが生じるという問題が発生する。
【０００７】
また、棒状光源として通常は冷陰極管（例えば直径φ３ｍｍの細い棒状）を用いるが、冷陰極管は、両端側の電極部の発熱が顕著であってその部位の温度が著しく高温になる一方、中央部付近は温度が上昇するものの電極部よりも低温になり、長手方向の温度分布が不均一となる。
【０００８】
一方、冷陰極管は発光輝度に温度依存性がある。
具体的には、所定のピーク温度（例えば約５５℃）で最大輝度となり、それよりも低温、及び、高温では輝度が除々に低下する特性を有する。この特性の一例を図２７に示す。この図において、横軸は冷陰極管の管壁温度であり、縦軸はその管壁温度における輝度を、それが最大となる管壁温度が約５５℃を１００％として示している。
【０００９】
すなわち、冷陰極線管はその長手方向の温度分布が不均一になって長手方向に輝度むらが生じ、その結果、導光板も冷陰極管の長手方向の発光輝度むらが生じる。
【００１０】
このように、導光板の温度分布は、その端面近傍に配設された冷陰極管からの距離に応じた不均一性（以下、Ｙ方向の温度不均一性と称する）と、冷陰極管の長手方向の発熱量に応じた不均一性（以下、Ｘ方向の温度不均一性と称する）との２つの要因が相乗されてより不均一になっている。
【００１１】
一方、画像表示装置に対しては、薄型化に加えて大画面化，高輝度化及び狭額縁化の要求が強くなっている。
これに応えるため、エッジライト型の画像表示装置においては、
（対応１）棒状光源の数を増やす
（対応２）各棒状光源の光量を増やす
（対応３）棒状光源を複数の端面側（例えば、画面の上下端面側）に配置する
などの対応が考えられている。
【００１２】
（対応１）については、特許文献３において、導光板の端面に対向して冷陰極管を２本配設した例が開示されているが、現状は、画像表示装置の薄型化のため、冷陰極管の直径φ３ｍｍに対して導光板の厚さがすでに６ｍｍ以下と薄板化されて複数の冷陰極管を導光板の端面に対向配置することが困難になっており、光源数を増やすことには限界がある。
従って、冷陰極管は、輝度が最大となる温度が長手方向に一定に維持されるように制御されることが望まれる。
【００１３】
（対応２）については、発熱量が増加して輝度むらを増大させる可能性があるばかりでなく、消費電力も増加するので環境保護の観点からも好ましい対応ではない。
【００１４】
（対応３）については、特許文献１及び特許文献２に例示されている。
通常、表示装置における画面の長手方向（左右方向）に対応する対向端面側に冷陰極管が配設される構造となっており、これは大画面化が必要ではあるが狭額縁化が強く望まれない場合に特に好適な構造である。
【００１５】
各特許文献には、導光板や液晶パネルの温度差（温度むら）を解消するための技術が開示されているが、いずれも冷陰極管近傍のみに言及したもの（特許文献３）やＹ方向の温度不均一性の解決について言及したもの（特許文献１，２，４，５）であり、Ｘ方向の温度不均一性に言及したもの、さらに、Ｘ方向の温度不均一性とＹ方向の温度不均一性との相乗作用による不均一性について言及したものではない。
【００１６】
従って、Ｘ方向の温度不均一性を解消して温度むらを更に低減する改善が求められると共に、大画面化による導光板の大型化に伴って冷陰極管からの距離差が大きくなりＹ方向の温度不均一性が益々増大した際や、冷陰極管がより長くなってＸ方向の温度不均一性がさらに増大した際にも、導光板の温度むらが低減でき、画面の輝度むらを少なくすることが求められ、これを実現する面発光装置，液晶表示装置及び画像表示装置が望まれている。
【００１７】
そこで、本発明が解決しようとする課題は、大画面化しても画面の輝度むらが少ない画像表示装置を提供することにある。
【課題を解決するための手段】
【００１８】
上記の課題を解決するために、本願発明は、次の１）及び２）の手段を有する。
１）  導光板（２）と、一対の電極部（１３）を有し前記導光板（２）の一端面（２ｂ）に沿って対向配置された棒状の光源（１１ＬＴ）と、前記導光板（２）の一面（２Ｋ）に反射シート（７）を介して密着配置されたフレーム（８）と、を有して、前記光源（１１ＬＴ）からの光（ＬＴ）が前記導光板（２）の前記一端面（２ｂ）から入光して該導光板（２）の他面（２Ｈ）から出光するよう構成され、前記フレーム（８）は、前記導光板（２）の前記一端面（２ｂ）における前記一対の電極部（１３）と対応する位置から前記光源（１１ＬＴ）と離隔する方向に前記導光板（２）の途中の位置まで延在して前記反射シート（７）と当該フレーム（８）との間に空間を形成する一対の凸部（８ａ−３）を有し、該一対の凸部（８ａ−３）の前記延在方向の両端部それぞれに前記空間と外部の空間とを繋ぐ通気口（８ａ１−３，８ａ２−３）が設けられている面光源装置（１０２Ｂ−２）と、
該面光源装置（１０２Ｂ−２）の前記導光板（２）の前記他面（２Ｈ）と対向して配置されて画像を表示する液晶パネル（１）と、
を備え、
前記面光源装置（１０２Ｂ−２）の前記導光板（２）の前記一端面（２ｂ）を、前記液晶パネル（１）に表示する画像の地側に配置したことを特徴とする画像表示装置（１０１）である。
２）  前記フレーム（８）は、前記一対の凸部（８ａ−３）の間に、前記導光板（２）の前記一端面（２ｂ）から前記光源（１１ＬＴ）と離隔する方向に前記導光板（２）の途中の位置まで延在して前記反射シート（７）と当該フレーム（８）との間に空間を形成する中間凸部（８８ａａ−３〜８８ａｅ−３）を備え、
該中間凸部（８８ａａ−３〜８８ａｅ−３）の前記延在方向の両端部それぞれに前記空間と外部の空間とを繋ぐ通気口（８８ａ１−３，８８ａ２−３）が設けられていることを特徴とする画像表示装置（１０１）である。
【発明の効果】
【００１９】
本発明によれば、大画面であっても画像表示装置における画面の輝度むらを少なくすることができる。
【発明を実施するための最良の形態】
【００２０】
本発明の実施の形態を、好ましい実施例により図１〜図２８を用いて説明する。
図１は、本発明の画像表示装置１０１の実施例における概略構成を示す断面図である。
【００２１】
この画像表示装置１０１は例えば３２Ｖ型の液晶テレビジョンであって、フロントカバー１０１Ｆとリアカバー１０１Ｒとが組み合わされて成る筐体１０１ＫＴを有し、筐体１０１ＫＴの内部には、液晶パネル部１０２Ａがフロントカバー１０１Ｆの画面開口部１０１Ｆ１を通じて臨むことができるように取り付けられている。
【００２２】
また、この液晶パネル部１０２Ａには、背面側に面光源装置（バックライト装置）１０２Ｂが取り付けられている。具体的には、液晶パネル部１０２Ａは、面光源装置の導光板２（詳細は後述する）と対向するように配設されている。
さらに、その面光源装置１０２Ｂの背面側には、液晶パネル部１などを駆動するためのシャーシ基板１０１ＫＢが取り付けられている。
また、音声を出力するスピーカ１０１ＳＰが、フロントカバー１０１Ｆにおける画面開口部１０１Ｆ１の下方に取り付けられている。
【００２３】
薄型化や小型化の市場要望にできるだけ対応するため、各部材の厚さを薄くして筐体１０１ＫＴを前後に薄い扁平外形としている。さらに、その天面における液晶パネル部１０２Ａと面光源装置１０２Ｂとよりなる液晶表示装置１０２の後方側は傾斜部１０１ＫＴ１とされている。
【００２４】
画像表示装置１０１に搭載された液晶表示装置１０２の構成を組み立て図である図２により説明する。
【００２５】
この液晶表示装置１０２において、平板状の液晶パネル１は、枠状の金属ベゼル６に収められると共にこの金属ベゼル６とモールドフレーム４とで挟まれて枠状の前カバー３の内側に取り付けられている。
この取り付けにおいては、液晶パネル１の前後左右の隙間にパネル保持用スペーサ５をあてがってパネルに無理な力がかからないよう配慮されている。
また、液晶パネル１の後面側には、２枚の光学シート６Ａ，６Ｂを挟んで薄板状の導光板２が配設されている。
【００２６】
その導光板２の一面である後面（２Ｋ）側には反射シート７及び平板状のフレーム８が配設され、さらに、後述する冷陰極管を駆動するインバータ基板９が搭載された後カバー１０が前カバー３と係合して、金属ベゼル６からフレーム８までの部材が前後カバー３，１０内に収容されたパッケージとされている。
【００２７】
この例においては、導光板２の一対の長手端面２ａ，２ｂに対向するようランプリユニット１１Ａ，１１Ｂがそれぞれ配設されている。この長手端面２ａ，２ｂは、図２において上下の端面である。これは後述する例３の形態に相当する。
また、ランプユニット１１Ａのみを長手端面２ａに対向配置した形態（後述する例１の形態に相当）や、ランプユニット１１Ｂのみを長手端面２ｂに対向配置した形態（後述する例２の形態に相当）としてもよい。
【００２８】
ランプユニット１１Ａ，１１Ｂは、詳細は後述するが、複数本の冷陰極管と、この冷陰極管から放出された光を導光板２の長手端面２ａ，２ｂに導くように反射する反射板と、を備えている。
また、ランプユニット１１Ａ，１１Ｂとフレーム８とには放熱板１２が接続されており、ランプユニット１１Ａ，１１Ｂ及びフレーム８の熱は、この放熱板１２を介して外部に放出される。
【００２９】
導光板２と、ランプユニット１１Ａ，１１Ｂと、反射シート７と、フレーム８とを含んで面光源装置１０２Ｂが構成される。
また、フレーム８は金属により形成され、表面には凸部（図２には不図示）が設けられている。このフレーム８の詳細についても後述する。
【００３０】
上述の構成において、反射シート７は、導光板２に密着し、その導光板２から後方に向けて出射しようとする光を液晶パネル１に向かうように反射する。
また、光学シート６Ａ，６Ｂは、導光板２からの光を適度に拡散し、液晶パネル１へ入光する光をより確実に平均化する。
【００３１】
次に、ランプユニット１１Ａ，１１Ｂについて図３を用いて説明する。
図３は、ランプユニット１１Ａ及び導光板２の部分断面図である。
【００３２】
ランプユニット１１Ａは、３本の冷陰極管１１ＬＴと、Ｕ字形状の反射板１１ＲＦとを有して構成されている。
【００３３】
冷陰極管１１ＬＴは、反射板１１ＲＦの内部に収められ、反射板１１ＲＦの開口部１１ＲＦ１側が導光板２の長手端面２ａに対向するように配設されている。
冷陰極管１１ＬＴの直径φ１は３ｍｍであり、導光板２は厚さＴ１が６ｍｍで形成されている。
【００３４】
冷陰極管１１ＬＴは、概略構造を図２８に示すように、両端部側に電極１３ａを備え、この電極１３ａに接続された端子１３ｂ間に所定の電圧を印加することで発光する。
この電極１３ａの長手方向の範囲を含む部位を電極部１３と称する。
冷陰極管１１ＬＴからの光ＬＴを効率よく端面２ａから導光板２の内部に入射させるために、冷陰極管１１ＬＴは、導光板２の厚さの範囲内で互いにできるだけ重ならないように傾斜して配列されている。さらに、反射板１１ＲＦの奥側は凹曲面状とされて奥側に向かう光を開口部１１ＲＦ１に向けて反射する。
これを換言するならば、冷陰極管１１ＬＴからの光ＬＴは、直接に又は反射板１１ＲＦに反射して導光板２に対しその一端面２ａから入射する。そして、この導光板２の一端面２ａからの入光は、導光板２の一面２Ｋ（フレーム８が反射シート７を介して密着配設された面）とは反対側の面２Ｈ（他面）から出光する。
【００３５】
次に、面光源装置１０２Ｂについて詳述する。
以下には面光源装置１０２Ｂとして、それが搭載された画像表示装置１０１の使用状態における天地方向を上下方向としたときに、ランプユニットが導光板２の上端面側にのみ配設された例１と、導光板２の下端面側にのみ配設された例２と、導光板２の上下両端面側にそれぞれ配設された例３との３種類について説明する。
また、以下の説明において、地側については地面側とも称する。また、図面においては、天側，地側（地面側），前側，後側を、それぞれ天，地，前，後と記載する。
【００３６】
＜例１：参考例＞
【００３７】
例１の面光源装置１０２Ｂの外観を図４に示す。また、図４におけるＳ−Ｓ断面を図５に示す。
図４は、後方斜め上側から見た斜視図であり、図５と共に図２，図３に示した形態とは次の部分で異なる。
【００３８】
すなわち、図４におけるフレーム８は、略Ｌ字形とされ、ランプユニット１１Ａの上側を覆う形状としてある。また、導光板２は、下方に向かうに従って、薄くなるようにくさび形に形成された例を示しているが、これに限らず平板形状にしてもよい。また、ランプユニット１１Ａの冷陰極管は、図示を簡単にするため１本のみ記載してある。
この図４において、冷陰極管の長手方向をＸ方向，上下方向をＹ方向とも称する。
【００３９】
図４において、冷陰極管１１ＬＴの両端側には電極部１３（図２８参照）があり、ここは他の部位よりも多く発熱する部位である。
そして、フレーム８のＸ方向における冷陰極管１１ＬＴの電極部１３に対応する位置に、導光板２から離れる方向に突出してＹ方向に長さＬ１で延在すると共にＸ方向に幅Ｗ１を有する凸部８ａが形成されている。すなわち、この凸部８ａは、冷陰極管１１ＬＴ側を起点としてその冷陰極管１１ＬＴから離隔する方向に延在する。
【００４０】
この凸部８ａには、延在方向の両端部である上方端部と下方端部とにそれぞれ上通気口８ａ１と下通気口８ａ２とが形成されている。
この各通気口により、凸部８ａの内部の空間と外部の空間とが連結される。
当図において、上通気口８ａ１は後方側に向けて開口する孔として設けられているが、これは上方側からの埃などの侵入を防止するためであり、もちろん上方や左右方向に向けて開口する孔であってもよい。
【００４１】
同様に、下通気口８ａ２は、斜めにカットされて下方に向けて開口する孔として設けられているが、これについても後方や左右方向に向けて開口する孔であってもよい。
また、図５からわかるように、凸部８ａの内部は、外気が流通可能な流路８ａＲとされ、反射シート７が直接流路８ａＲ内の空気に接触するようになっている。
一方、この流路８ａＲ以外の部分は、フレーム８と反射シート７とは密着している。
【００４２】
この凸部８ａを設けたことにより、冷陰極管１１ＬＴの電極部１３から発生した熱が流路８ａＲの上方側の空気を暖めることになり、暖められて軽くなった空気Ａｗは上通気口８ａ１より外部に排出する。
これに伴い、下通気口８ａ２から、暖められてない雰囲気温度の空気Ａｃが凸部８ａ内に導入されるので、流路８ａＲ内には、常に下方から上方に向かう空気流Ａが発生する。
導光板２及び反射シート７は、冷陰極管１１ＬＴから発生した熱が波状矢印ＡＲのように伝達されて温度が上昇するが、空気流Ａが流路８ａＲ内を上方に流れる際に反射シート７に接触して熱を奪うので、反射シート７及び導光板２はその温度上昇が抑制されると共に温度が均一化される。
【００４３】
また、流路８ａＲの上端の位置８ｐは、導光板２の上端の位置２ｐよりも上方となるように設定されている。
これにより、導光板２における電極部１３近傍の範囲に蓄積される熱は、その範囲に密着した反射シート７が必ず流路８ａＲの空気と接触しているので、空気を介してより効率良く外部に排出される。
【００４４】
この例においては、導光板２の長手全域に亘る長さの冷陰極管が配設されているので、電極部１３は両端部側の一対でありそれに対応する凸部８ａも一対設けられる。
従って、導光板２の長手を分割するように短い冷陰極管をｎ（ｎは２以上の整数）本長手方向に並べて配設した場合には、電極部１３は２×ｎ箇所存在するので、それに対応する凸部８ａも２×ｎ箇所設けると良い。
また、隣接する電極部１３が近接する場合には、その隣接する２つの電極部１３に対して共通となる凸部８ａを設けてもよい。
次に、例１を種々変形させた変形例について詳述する。
【００４５】
（変形例１−１：図６参照）
【００４６】
この変形例１−１の光源装置１０２Ｂ１は、上述した例１に対して、凸部８ａを、下方に向かうに従ってＸ方向に拡大する幅Ｗ１−２を有するように形成したものである。
【００４７】
そのため、下通気口は、冷陰極管１１ＬＴの長手方向に広く開口しており、雰囲気温度の空気Ａｃがより多量に流路８ａＲ−１に供給されて冷却効率が向上する。
従って、冷陰極管１１ＬＴの発熱による導光板２の温度上昇を効率よく抑制することができる。
また、流路８ａＲ−１内の空気と反射シート７との接触面積がＸ方向に増えているので、このＸ方向における導光板２の温度分布をより均一にすることができる。
【００４８】
（変形例１−２：図７参照）
【００４９】
この変形例１−２の光源装置１０２Ｂ２は、上述した例１に対して、一対の電極部１３に対応した一対の凸部８ａ−２に加えて、両凸部８ａ−２間にこの凸部８ａ−２と平行に延在する補助凸部８８ａをピッチＰで設けたものである。従って、この補助凸部８８ａの延在方向は、冷陰極管１１ＬＴから離隔する方向である。
図７においては、この補助凸部８８ａを一定間隔で５箇所設けた例を示しているが、１箇所以上であれば数が限定されるものではない。
ここで補助とは、冷陰極管１１ＬＴの電極部１３に対応する凸部に対して、冷陰極管１１ＬＴにおける電極部１３以外の部分に対応する凸部という意味合いであり、冷却効率の優位を意味するものではない。以下の説明においては、一対の凸部の間に設けてあることから中間凸部とも称する。
【００５０】
補助凸部８８ａには、凸部８ａ−２と同様に、延在方向の両端部である上方端部と下方端部とにそれぞれ上通気口８８ａ１と下通気口８８ａ２とが形成されている。この各通気口により、補助凸部８8ａの内部の空間と外部の空間とが連結される。
当図において、上通気口８８ａ１は後方側に向けて開口する孔として設けられているが、これは上方側からの埃などの侵入を防止するためであり、もちろん上方や左右方向に向けて開口する孔であってもよい。
【００５１】
同様に、下通気口８８ａ２は、斜めにカットされて下方に向けて開口する孔として設けられているが、これについても後方や左右方向に向けて開口する孔であってもよい。
また、この例においては、一対の凸部８ａ−２のＹ方向長さＬ１に対して、補助凸部８８ａの長さＬ２を短く設定してある。
【００５２】
これにより、凸部８ａ−２の下通気口８ａ２−２から流入する空気Ａｃの温度よりも、補助凸部８８ａの下通気口８８ａ２から流入する空気Ａｃ１の温度の方が、冷陰極管に近い位置の雰囲気の空気であることから高くなる。
【００５３】
従って、最も発熱量の多い電極部１３に対応する凸部８ａ−２による冷却効果が、電極部１３以外の範囲の冷陰極管に対応する補助凸部８８ａによる冷却効果よりも大きくなるので、導光板２の温度上昇を抑制しつつその温度分布むらを、少なくすることができる。
【００５４】
また、冷陰極管１１ＬＴの温度を最高輝度で発光する温度に近くなるように制御し、その長手方向の温度分布むらも少なくすることができる。
Ｙ方向長さＬ１，Ｌ２，Ｘ方向の幅Ｗ１，Ｗ２，ピッチＰは、冷陰極管の発熱特性や導光板２の温度分布などに応じて設定する。
【００５５】
（変形例１−３：図８参照）
【００５６】
この変形例１−３の光源装置１０２Ｂ３は、上述した変形例１−２に対して、凸部８ａ−２及び補助凸部８８ａの上部を連結路８９によりＸ方向に連結したものである。この連結路８９により、各凸部及び補助凸部の内部の流路が連結されている。
これにより、凸部８ａ−２の内部を流れる空気と補助凸部８８ａの内部を流れる空気とが混合して温度上昇を抑制しつつ温度むらをより少なくすることができる。
また、冷陰極管１１ＬＴの温度を最高輝度で発光する温度に近くなるように制御し、その長手方向の温度分布むらも少なくすることができる。
各上通気口８８ａ１の位置は、図８に示すものに限らず、連結路８９に設けてもよい。
【００５７】
（変形例１−４：図９参照）
【００５８】
この変形例１−４の光源装置１０２Ｂ４は、上述した変形例１−２に対して、補助凸部８８ａの長さを、Ｘ方向の外側から内側に向かうに従って除々に短くしたものである。
【００５９】
図９に示す例において具体的には、一対の凸部８ａ−２間に、ピッチＰで５つの補助凸部８８ａａ〜８８ａｅが設けられている。もちろん、その数は５つに限るものではない。
【００６０】
また、各補助凸部８８ａａ〜８８ａｅのＹ方向長さＬ３１〜Ｌ３５は、
Ｌ１＞Ｌ３１＝Ｌ３５＞Ｌ３２＝Ｌ３４＞Ｌ３３
と設定されている。
従って、凸部８ａ−２及び補助凸部８８ａａ〜８８ａｅの下通気口８８ａａ２〜８８ａｅ２から内部に流入する各空気Ａｃ，Ａｃ３１〜Ａｃ３５の温度も、
Ａｃ＜Ａｃ３１＝Ａｃ３５＜Ａｃ３２＝Ａｃ３４＜Ａｃ３３
となり、各Ｙ方向長さＬ３１〜Ｌ３５に対応した冷却効果が発揮される。
【００６１】
これは、導光板２のＸ方向の温度分布、すなわち、両端側（電極部１３がある部位）の温度が最も高く中央部が最も低い、という分布に対応した関係である。
【００６２】
このように、凸部８ａ−２及び補助凸部８８ａａ〜８８ａｅの長さＬ１，Ｌ３１〜Ｌ３５が冷却の程度と対応していることから、さらに良好に、導光板２の温度上昇を抑制すると共にその温度むらを少なくすることができる。
また、冷陰極管１１ＬＴの温度を最高輝度で発光する温度により近くなるように制御し、その長手方向の温度分布むらもより少なくすることができる。
【００６３】
上述した例１及び変形例１−１〜１−４による導光板２の温度上昇抑制効果について、変形例１−４を代表として図１０，図１１を用いて説明する。
【００６４】
図１０は、各例における凸部８ａ，８ａ−１，８ａ−２及び補助凸部８８ａ，８８ａａ〜８８ａｅを備えていないフレームを用いた面光源装置における導光板２の温度分布を示す図及びグラフである。
【００６５】
図１１は、変形例１−４の面光源装置１０２Ｂ４における導光板２の温度分布を示す図及びグラフであり、図１０に対応する図である。
両図共、導光板２と冷陰極管１１ＬＴとを示し、導光板２の一点鎖線で示す位置での温度を、グラフで示している。
また、図１０と図１１とのグラフのスケールは同一である。
【００６６】
図１０において、Ｘ方向の温度分布については、冷陰極管１１ＬＴに近いＡ−Ａ’位置での温度が、冷陰極管１１ＬＴから遠いＢ−Ｂ’の位置での温度よりも高く、特に電極部１３に近くなる程その差が大きくなることがわかる。
また、Ｙ方向の温度分布については、導光板２の中央部であるＥ−Ｅ’位置での温度よりも、左右両端部側であるＤ−Ｄ’，Ｆ−Ｆ’の位置での温度の方が高く、特に冷陰極管１１ＬＴに近くなる程その差が大きくなることがわかる。
【００６７】
一方、図１１において、Ｘ方向の温度分布については、冷陰極管１１ＬＴに近いＡ−Ａ’位置での温度と、冷陰極管１１ＬＴから遠いＢ−Ｂ’の位置での温度との差が、図１０の場合と比べて極めて小さくなっており、また、その差もＸ方向でほぼ一定となっている。
また、Ｙ方向の温度分布については、導光板２の中央部であるＥ−Ｅ’位置での温度と、左右両端部側であるＤ−Ｄ’，Ｆ−Ｆ’の位置での温度との差が、図１０の場合と比べて極めて小さくなっており、また、その差もＹ方向でほぼ一定となっている。
【００６８】
このように、変形例１−４の面光源装置１０２Ｂ４は、導光板２の温度分布において、冷陰極管１１ＬＴの電極部１３近傍の局部的温度上昇を極めて良好に抑制すると共に、導光板２全体の温度むらを抑制してより均一な温度とすることができている。
また、図４及び図６〜９に示したように、凸部や補助凸部（中間凸部）は、冷陰極管１１ＬＴ側を起点として、その冷陰極管１１ＬＴから離隔するように導光板２の途中の位置まで延在させるのが望ましい。
このように、延在範囲を導光板２の途中の位置までとするのは、凸部や中間凸部を設けたことによる空気の流動により、導光板２の、光源１１ＬＴから或る程度距離が離れた部位の必要以上の温度低下を防止して、導光板２全体の温度分布をより均一にすることができるからである。
【００６９】
以上詳述した効果は、導光板２のＹ方向（冷陰極管に直交する上下方向）のみならず、Ｘ方向（冷陰極管の長手方向）の温度分布にも着目し、パネル８に、両方向の相互影響を考慮した形状及び配置で凸部８ａ，８ａ−１，８ａ−２あるいは補助凸部８８ａ，８８ａａ〜８８ａｅを設けたことにより得られたものである。
また、例１や変形例１〜３も、Ｙ方向のみならずＸ方向の温度分布をも考慮して成されたものであるから、同様の効果を得ることは言うまでもない。
【００７０】
＜例２：実施例＞
【００７１】
例２の面光源装置１０２Ｂ−２の外観を図１２に示す。この図は、例１の図４に対応する図であって後方斜め上側から見た斜視図である。
【００７２】
この例２は、例１に対してランプユニット１１Ｂが導光板２に対して地面側（下側）に配置されたものである。
また、例１と同様に、図１２におけるフレーム８は、略Ｌ字形とされ、ランプユニット１１Ｂの下側を覆う形状としてある。また、導光板２は、上方に向かうに従って、薄くなるように形成されている。
また、ランプユニット１１Ｂの冷陰極管１１ＬＴは、図示を簡単にするため１本のみ記載してある。
この図１２において、冷陰極管１１ＬＴの長手方向をＸ方向，上下方向をＹ方向とも称する。
【００７３】
この例２においては、発熱部である冷陰極管１１ＬＴが導光板２の下方にあるので、導光板２には、部材を直接伝導して加わる熱だけではなく、冷陰極管１１ＬＴにより暖められたその近傍の空気が導光板２の前面やフレーム８に沿って上昇する際に伝達される熱が加わるので、例１の場合よりも温度が上昇するばかりでなく、導光板２の温度分布むらが例１の場合よりも顕著になる。
これは、特に大画面に対応するための大きな導光板２を用いる場合に顕著である。
【００７４】
そのため、導光板２が大きい場合には、下方にある熱源（冷陰極管１１ＬＴ）により暖められた空気（暖気）を、導光板２の低温領域に積極的に流し、その暖気から熱を伝達させて温度むらを抑制することが必要となる。
この暖気による導光板２への熱提供が、導光板２の温度分布に応じてその量が最適となるように凸部を形成する。
【００７５】
以下に具体的に説明する。
【００７６】
図１２において、冷陰極管１１ＬＴの両端側の電極部１３に対応するＸ方向位置に、導光板２から離れる方向に突出してＹ方向に長さＬ１で延在すると共にＸ方向に幅Ｗ１を有する凸部８ａ−３が形成されている。すなわち、この凸部８ａ−３は、冷陰極管１１ＬＴ側を起点として冷陰極管１１ＬＴから離隔する方向に延在する。
この凸部８ａ−３には、延在方向の両端部である上方端部側と下方端部側とにそれぞれ上通気口８ａ１−３と下通気口８ａ２−３とが形成されている。この各通気口により、凸部８ａ−３の内部の空間と外部の空間とが連結される。
【００７７】
当図において、下通気口８ａ２−３は後方側に向けて開口する孔として設けられているが、下方や左右方向に向けて開口する孔であってもよい。
同様に、上通気口８ａ１−３は、斜めにカットされて上方に向けて開口する孔として設けられているが、これについてもこれは上方側からの埃などの侵入を防止するために後方や左右方向に向けて開口する孔であってもよい。
【００７８】
この凸部８ａ−３の内部は、外気が流通可能な流路とされ、反射シート７が直接流路内の空気に接触するようになっている。
一方、この流路８ａ以外の部分は、フレーム８と反射シート７とは密着している。
【００７９】
また、この一対の電極部１３に対応した一対の凸部８ａ−３に加えて、両凸部８ａ−３間にこの凸部８ａ−３と平行な補助凸部をピッチＰで設けてある。
すなわち、図１２においては、補助凸部８８ａａ−３〜８８ａｅ−３の５つである。
この補助凸部は１箇所以上であれば数が限定されるものではない。
また、ここで補助とは、例１において記載したように、冷陰極管１１ＬＴの電極部１３に対応する凸部に対して、冷陰極管１１ＬＴにおける電極部１３以外の部分に対応する凸部という意味合いであり、冷却効率の優位を意味するものではない。以下の説明においては、一対の凸部の間に設けてあることから中間凸部とも称する。
【００８０】
そして、各補助凸部８８ａａ−３〜８８ａｅ−３には、凸部８ａ−３と同様に、上方端部と下方端部とにそれぞれ上通気口８８ａ１−３と下通気口８８ａ２−３とが形成されている。この各通気口により、補助凸部８８ａａ−３〜８８ａｅ−３の内部の空間と外部の空間とが連結される。
これにより、各凸部や補助凸部の内部における冷陰極管近傍の空気は暖められて内部の流路を上昇し、上通気口８ａ１−３や８８ａａ１−３から外部に排出される。
【００８１】
その際、暖められた空気は、流路においてそれより温度の低い反射シート７に接触して熱を提供するので、その部分の反射シート７やこれが密着する導光板２の温度は上昇して温度むらが減少する。
【００８２】
さらに、図１２においては、一対の凸部８ａ−３の長さＬ１を隣接する補助凸部８８ａａ−３，８８ａｅ−３の長さＬ３１，Ｌ３５よりも長くし、さらに、補助凸部８ａａ−３〜８ａｅ−３の長さＬ３１〜Ｌ３５との関係を、
Ｌ１＞Ｌ３１＝Ｌ３５＜Ｌ３２＝Ｌ３４＜Ｌ３３
と設定してある。
【００８３】
すなわち、電極部１３に対応する凸部８ａ−３は、内部流路の空気の流れをより高速にして熱排出効率を向上させるために、上端部近傍まで延在する凸部８ａ−３とし、補助凸部８ａａ−３〜８ａｅ−３については、導光板２の温度の低い部位ほど長い補助凸部として反射シート７と暖気との接触面積を増やし、暖気から反射シート７に供給される熱量を増やしているので、導光板２の温度むらは極めて良好に抑制される。
凸部８ａ−３の長さＬ１は、導光板２の下端側から少なくとも２／３以上あることが望ましい。
【００８４】
一方、比較的導光板２が小さい場合には、導光板２の低温部に暖気を積極的に導くことなく、電極部１３に対応する左側、右側の温度を低下させることで導光板２全体の温度むらを良好に抑制することができる。
この場合の面発光装置１０２Ｂ−２ｂの例を図１３に示す。
この例においても、凸部８ａ−３の長さＬ１は、隣接する補助凸部８８ａａ−３，８８ａｅ−３の長さＬ３１，Ｌ３５よりも長く、
Ｌ１＞Ｌ３１＝Ｌ３５＞Ｌ３２＝Ｌ３４＞Ｌ３３
と設定してある。
この場合も、凸部８ａ−３の長さＬ１は、導光板２の下端側から少なくとも２／３以上あることが望ましい。
【００８５】
このように、導光板２の温度分布について、Ｙ方向とＸ方向とのむらに着目し、
温度の高低に応じて熱源からの暖気を運ぶ補助凸部の短長を設定しているので、冷陰極管１１ＬＴの温度上昇を抑えつつ導光板２の温度むらを極めて良好に抑制して温度分布をより均一にすることができる。
【００８６】
この例においても、例１の連結部８９に相当する連結部を設けてもよい。
その場合、冷陰極管１１ＬＴが配設された上部側に設けて効果を発揮する例１とは異なり、この例２ではＹ方向のどの位置に設けても温度分布をより均一にする効果を奏する。
【００８７】
また、この連結部は、冷陰極管に平行でなくてもよく、傾斜していてもよい。
さらに、その傾斜は、上方に向かう程温度の高い方から低い方に向かうように設けるのが好ましい。
具体的には、導光板２の中央に向かう側のＹ方向位置が高く（上方に）なるような傾斜の連結部を設けるのがよい。
【００８８】
上述した図１２，図１３で代表されるような変形例の形態、すなわち、凸部８ａ−３と補助凸部８８−３〜８８ａｅ−３のＹ方向長さを異ならせると、図１４で示すような各凸部のＹ方向長さをＬ１として同じにした変形例の形態に比べて、導光板２の温度むらは良好に低減される。
【００８９】
上述した例２による導光板２の温度上昇抑制効果について、図１５，図１６を用いて説明する。
【００９０】
図１５は、例２における凸部８ａ−３及び補助凸部８８ａａ−３〜８８ａｅ−３を備えていないフレームを用いた面光源装置における導光板２の温度分布を示す図及びグラフである。
図１６は、例２の面光源装置１０２Ｂ−２における導光板２の温度分布を示す図及びグラフであり、図１５に対応する図である。
両図共、導光板２と冷陰極管１１ＬＴとを示し、導光板２の一点鎖線で示す位置での温度を、グラフで示している。
また、図１５と図１６とのグラフのスケールは同一である。
【００９１】
図１５において、Ｘ方向の温度分布については、冷陰極管１１ＬＴに近いＢ−Ｂ’位置での温度が、冷陰極管１１ＬＴから遠いＡ−Ａ’の位置での温度よりも高く、特に電極部１３に近くなる程その差が大きくなることがわかる。
また、Ｙ方向の温度分布については、導光板２の中央部であるＥ−Ｅ’位置での温度よりも、左右両端部側であるＤ−Ｄ’，Ｆ−Ｆ’の位置での温度の方が高く、特に冷陰極管１１ＬＴに近くなる程その差が大きくなることがわかる。
【００９２】
一方、図１６において、Ｘ方向の温度分布については、冷陰極管１１ＬＴに近いＢ−Ｂ’位置での温度と、冷陰極管１１ＬＴから遠いＡ−Ａ’の位置での温度との差が、図１５の場合と比べて極めて小さくなっており、また、その差もＸ方向でほぼ一定となっている。
【００９３】
また、Ｙ方向の温度分布については、導光板２の中央部であるＥ−Ｅ’位置での温度と、左右両端部側であるＤ−Ｄ’，Ｆ−Ｆ’の位置での温度との差が、図１５の場合と比べて極めて小さくなっており、また、その差もＹ方向でほぼ一定となっている。
【００９４】
このように、例２の面光源装置１０２Ｂ−２は、導光板２の温度分布において、冷陰極管１１ＬＴの電極部１３近傍の局部的温度上昇を極めて良好に抑制すると共に、導光板２全体の温度むらを抑制してより均一な温度とすることができている。
また、図１２〜図１４に示したように、凸部や補助凸部（中間凸部）は、冷陰極管１１ＬＴ側を起点として、その冷陰極管１１ＬＴから離隔するように導光板２の途中の位置まで延在させるのが望ましい。
このように、延在範囲を導光板２の途中の位置までとするのは、凸部や中間凸部を設けたことによる空気の流動により、導光板２の、光源１１ＬＴから或る程度距離が離れた部位の必要以上の温度低下を防止して、導光板２全体の温度分布をより均一にすることができるからである。
この効果は、導光板２のＹ方向（冷陰極管に直交する上下方向）のみならず、Ｘ方向（冷陰極管の長手方向）の温度分布にも着目し、パネル８に、両方向の相互影響を考慮した形状及び配置で凸部８ａ−３や補助凸部８８ａ−３，８８ａａ−３〜８８ａｅ−３を設け、そのＸ方向の長さＬ１やＬ３１〜Ｌ３５を、導光板２の温度分布に対応した長さにしたことにより得られたものである。
この例２の面光源装置を画像表示装置１０１に搭載する際には、そのランプユニット１１Ｂ（すなわち、導光板２の端面２ｂ）が表示画像の地側に位置するように搭載される。
【００９５】
＜例３：適用例＞
【００９６】
例３の面光源装置１０２Ｂ−３の外観を図１７に示す。この図は、例１の図４に対応する図であって後方斜め上側から見た斜視図である。
【００９７】
この例３は、例１，例２に対して、二つのランプユニット１１Ａ，１１Ｂを導光板２に対して天側（上方側）及び地面側（下方側）に配置したものである。
また、導光板２は均一な厚さとした例で説明するが、これに限らず、中央が最も薄くなるようなくさび形を連結した形状であってもよい。
また、図１７におけるフレーム８は、略コ字形とされ、ランプユニット１１Ａ，１１Ｂのそれぞれ上側下側を覆う形状としてある。
また、ランプユニット１１Ｂの冷陰極管１１ＬＴは、図示を簡単にするため１本のみ記載してある。
この図１７において、冷陰極管１１ＬＴの長手方向をＸ方向，上下方向をＹ方向とも称する。
【００９８】
この例３においては、発熱部である冷陰極管１１ＬＴが導光板２の上方と下方との両方にあるので、導光板２には、下側のランプユニット１１Ｂの冷陰極管１１ＬＴにより暖められたその近傍の空気が導光板２の前面やフレーム８に沿って上昇する際に伝達される熱と、２つの冷陰極管１１ＬＴから部材を通して直接伝導する熱とが加わり、例２の場合よりも温度がさらに上昇する。
【００９９】
上述した例１，例２から、各冷陰極間１１ＬＴに対応する凸部を設けることで冷却効果と温度の均一化効果が期待されるが、これを一体の凸部とすると、下側の冷陰極管１１ＬＴで暖められた暖気が凸部内を流動して上側の冷陰極管１１ＬＴの電極部１３に達するため、逆に温度上昇することが懸念される。
【０１００】
そこで、この例３においては、上方に配置された冷陰極管１１ＬＴの電極部１３に対応する凸部として上側凸部８ａ−４Ａを、さらに、下方に配置された冷陰極管１１ＬＴの電極部１３に対応する凸部として下側凸部８ａ−４Ｂを、それぞれ独立して設けている。すなわち、各凸部は、各冷陰極管１１ＬＴ側を起点としてその冷陰極管１１ＬＴから離隔する方向に延在する。
従って、図１９に示す例においては、Ｙ方向において、両凸部間には空間ＳＰが形成される。
この上側凸部８ａ−４Ａ及び下側凸部８ａ−４Ｂの内部について、図１７におけるＢ−Ｂ断面である図１８を用いて説明する。
【０１０１】
図１８において、上側凸部８ａ−４Ａ及び下側凸部８ａ−４Ｂの内部は、それぞれ外気が流通可能な流路８ａＲＡ，８ａＲＢとされ、反射シート７が直接流路８ａＲＡ，８ａＲＢ内の空気に接触するようになっている。
また、この流路８ａＲＡ，８ａＲＢ以外の部分は、フレーム８と反射シート７とは密着している。
【０１０２】
上側凸部８ａ−４Ａを設けたことにより、上方のランプユニット１１Ａの冷陰極管１１ＬＴの電極部１３から発生した熱が流路８ａＲＡの上方側の空気を暖めることになり、暖められて軽くなった空気Ａｗは上通気口８ａ１−４Ａより外部に排出する。
これに伴い、下通気口８ａ２−４Ａから、雰囲気温度の空気Ａｃが上側凸部８ａ−４Ａ内に導入されるので、流路８ａＲＡ内には、常に下方から上方に向かう空気流Ａが発生する。
導光板２及び反射シート７は、上側の冷陰極管１１ＬＴから発生した熱が波状矢印ＡＲのように伝達されて温度が上昇するが、空気流Ａが流路８ａＲＡ内を上方に流れる際に反射シート７に接触して熱を奪うので、反射シート７及び導光板２はその温度上昇が抑制されると共に温度が均一化される。
【０１０３】
一方、下側凸部８ａ−４Ｂを設けたことにより、下方のランプユニット１１Ｂの冷陰極管１１ＬＴの電極部１３から発生した熱が流路８ａＲＢの下方側の空気を暖めることになり、暖められて軽くなった空気Ａｗは上通気口８ａ１−４Ｂより外部に排出する。
これに伴い、下通気口８ａ２−４Ｂから、雰囲気温度の空気Ａｃが下側凸部８ａ−４Ｂ内に導入されるので、流路８ａＲＢ内には、常に下方から上方に向かう空気流Ｂが発生する。
【０１０４】
導光板２及び反射シート７は、上側の冷陰極管１１ＬＴから発生した熱が波状矢印ＡＲのように伝達されて温度が上昇するが、空気流Ａ（Ａｗ）が流路８ａＲＢ内を上方に流れる際に反射シート７に接触して熱を奪うので、反射シート７及び導光板２はその温度上昇が抑制されると共に温度が均一化される。
【０１０５】
また、流路８ａＲＡの上端の位置８ｐＡは、導光板２の上端の位置２ｐＡよりも上方となるように設定されている。
これにより、導光板２における電極部１３近傍の範囲に蓄積される熱は、その範囲に密着した反射シート７が必ず流路８ａＲＡの空気と接触しているので、空気を介してより効率良く外部に排出される。
【０１０６】
また、流路８ａＲＢの下端の位置８ｐＢは、導光板２の下端の位置２ｐＢよりも下方となるように設定されている。
これにより、導光板２における電極部１３近傍の範囲に蓄積される熱は、その範囲に密着した反射シート７が必ず流路８ａＲＢの空気と接触しているので、空気を介してより効率良く外部に排出される。
【０１０７】
この例においては、導光板２の長手全域に亘る長さの冷陰極管が配設されているので、電極部１３は上下双方の両端部側で各一対の２対あり、それに対応する上側凸部８ａ−４Ａ及び下側凸部８ａ−４Ｂは、それぞれ一対設けられる。
【０１０８】
従って、導光板２の長手を分割するように短い冷陰極管をｎ（ｎは２以上の整数）本長手方向に並べて配設した場合には、電極部１３は上側下側それぞれに２×ｎ箇所存在するので、それに対応する上側凸部８ａ−４Ａと下側凸部８ａ−４Ｂとはそれぞれ２×ｎ箇所設けると良い。
また、隣接する電極部１３が近接する場合には、その隣接する２つの電極部１３に対して共通となる上側凸部８ａ−４Ａや下側凸部８ａ−４Ｂを設けてもよい。
【０１０９】
上述した例３においては、下側の冷陰極管１１ＬＴで暖められた空気は、下側凸部８ａ−４Ｂの上通気口８ａ１−４Ｂから空間ＳＰに排出される一方、上側凸部８ａ−４Ａの下通気口８ａ２−４Ａから空間ＳＰの空気が取り込まれ、上側の冷陰極管１１ＬＴからの熱を受け取り上通気口８ａ１−４Ａから排出される。
【０１１０】
上側凸部８ａ−４Ａの下通気口８ａ２−４Ａから取り込まれる空気には、下側凸部８ａ−４Ｂの上通気口８ａ１−４Ｂから空間ＳＰに排出された暖気の一部が混合するものの、その暖気は空間ＳＰに一旦排出されることで温度が低下し、さらに空間ＳＰの空気と混合するので、冷却に支障のない程度の低温度の空気が上側の冷陰極管１１ＬＴやそれに必要以上に暖められた導光板２の冷却に供される。
【０１１１】
導光板２の大きさがそれほど大型でない場合には、上述したような、Ｘ方向の幅が一定の上側凸部８ａ−４Ａ及び下側凸部８ａ−４Ｂを設ければ導光板２の温度むらを抑制できるが、大型になる程、Ｘ方向における中央部の温度低下が顕著になる。
その場合には、以下に示す変形例３−１が好適である。
【０１１２】
（変形例３−１：図１９参照）
【０１１３】
この変形例３−１の面光源装置１０２Ｂ１−３は、上述した例３に対して、上側凸部８ａ−４Ａを、下方に向かうに従ってＸ方向に拡大する幅Ｗ１Ａ−２を有するように形成し、下側凸部８ａ−４Ｂを、上方に向かうに従ってＸ方向に拡大する幅Ｗ１Ｂ−２を有するように形成してある。
そのため、上側凸部８ａ−４Ａの下通気口８ａ２−４Ａは、冷陰極管１１ＬＴの長手方向に広く開口しており、雰囲気温度の空気Ａｃがより多量に内部の流路に供給されて冷却効率が向上する。
【０１１４】
従って、冷陰極管１１ＬＴの発熱による導光板２の温度上昇を効率よく抑制することができる。
また、流路８ａＲＡ，８ａＲＢ内の空気と反射シート７との接触面積がＸ方向に増えているので、このＸ方向における導光板２の温度分布をより均一にすることができる。
【０１１５】
例３の面光源装置は、上述したように、上方に配置された冷陰極管１１ＬＴの電極部１３に対応する凸部として上側凸部８ａ−４Ａを、さらに、下方に配置された冷陰極管１１ＬＴの電極部１３に対応する凸部として下側凸部８ａ−４Ｂを、それぞれ独立して設けたものであるので、以下に示すように種々変形が可能である。
【０１１６】
（変形例３−２：図２０参照）
【０１１７】
この変形例３−２の面光源装置１０２Ｂ２−３は、上述した例３（図１７参照）に対して、上方に配置された冷陰極管１１ＬＴの一対の電極部１３に対応した一対の凸部８ａ−４Ａに加えて、この両凸部８ａ−４Ａ間にこの凸部８ａ−４Ａと平行な補助凸部８８ａａ−４Ａ〜８８ａｅ−４ＡをピッチＰで設け、下方に配置された冷陰極管１１ＬＴの一対の電極部１３に対応した一対の凸部８ａ−４Ｂに加えて、この両凸部８ａ−４Ｂ間にこの凸部８ａ−４Ｂと平行な補助凸部８８ａａ−４Ｂ〜８８ａｅ−４ＢをピッチＰで設けたものである。
図２０においては、この各補助凸部を一定間隔で５箇所設けた例を示しているが、１箇所以上であれば数が限定されるものではない。
ここで補助とは、例１及び例２でも示したように、冷陰極管１１ＬＴの電極部１３に対応する凸部に対して、冷陰極管１１ＬＴにおける電極部１３以外の部分に対応する凸部という意味合いであり、冷却効率の優位を意味するものではない。以下の説明においては、一対の凸部の間に設けてあることから中間凸部とも称する。
【０１１８】
上側の補助凸部８８ａａ−４Ａ〜８８ａｅ−４Ａには、上側凸部８ａ−４Ａと同様に、延在方向の両端部である上方端部と下方端部とにそれぞれ上通気口８８ａ１−４Ａと下通気口８８ａ２−４Ａとが形成されている。
また、下側の補助凸部８８ａａ−４Ｂ〜８８ａｅ−４Ｂには、下側凸部８ａ−４Ｂと同様に、延在方向の両端部である上方端部と下方端部とにそれぞれ上通気口８８ａ１−４Ｂと下通気口８８ａ２−４Ｂとが形成されている。
当図において、上通気口８８ａ１−４Ａ及び下通気口８８ａ２−４Ｂは後方側に向けて開口する孔として設けられているが、これは上方側からの埃などの侵入を防止するためであり、もちろん上方や左右方向に向けて開口する孔であってもよい。
【０１１９】
同様に、下通気口８８ａ２−４Ａ及び上通気口８８ａ１−４Ｂは、斜めにカットされて下方に向けて開口する孔として設けられているが、これについても後方や左右方向に向けて開口する孔であってもよい。
【０１２０】
（変形例３−３：図２１参照）
【０１２１】
この変形例３−３の面光源装置１０２Ｂ３−３は、上述した変形例３−２（図２０参照）において、凸部８ａ−４Ａ及び補助凸部８８ａａ−４Ａ〜８８ａｅ−４Ａの上部を連結路８９ＡによりＸ方向に連結し、凸部８ａ−４Ｂ及び補助凸部８８ａａ−４Ｂ〜８８ａｅ−４Ｂの下部を連結路８９ＢによりＸ方向に連結したものである。この連結路８９Ａ，８９Ｂにより、各凸部及び補助凸部の内部の流路が連結される。
これにより、凸部８ａ−４Ａの内部を流れる空気と補助凸部８８ａａ−４Ａ〜８８ａｅ−４Ａの内部を流れる空気とが混合して温度上昇を抑制しつつ温度むらをより少なくすることができる。
また、凸部８ａ−４Ｂと補助凸部８８ａａ−４Ｂ〜８８ａｅ−４Ｂとの内部に取り込まれる空気が互いに混合し、さらに、ランプユニット１１Ｂの冷陰極管１１ＬＴの電極部１３と電極部ではない部分で暖められた空気が混合するので、温度上昇を効率よく抑制し、導光板２の温度分布をより均一にすることができる。
【０１２２】
また、この連結路８９Ａ，８９Ｂは、それぞれ冷陰極管１１ＬＴに対して最も近い位置に平行に配設されている。
従って、冷陰極管１１ＬＴの温度を最高輝度で発光する温度に近くなるように制御し、その長手方向の温度分布むらも少なくすることができる。
各上通気口８８ａ１−４Ａ及び各下通気口８８ａ１−４Ｂの位置は、図２１に示すものに限らず、それぞれ連結路８９Ａ及び８９Ｂに設けてもよい。
【０１２３】
（変形例３−４：図２２参照）
【０１２４】
この変形例３−４の面光源装置１０２Ｂ４−３は、上述した変形例３−３（図２１参照）に対して、上側の補助凸部８８ａａ−４Ａ〜８８ａｅ−４Ａと、下側の補助凸部８８ａａ−４Ｂ〜８８ａｅ−４Ｂとで数を異ならせた例である。
通常、導光板２は、周囲の空気の熱対流によって上側の方が下側よりも温度が高くなるので、補助凸部の数を増やして上側の冷却効率を向上させることにより
導光板２の温度むらをより効率よく抑制することができる。
図２１に示す例では、上側の補助凸部を下側よりも４箇所多い９箇所にしてあるが、この数は適宜設定することができる。
【０１２５】
（変形例３−５：図２３参照）
【０１２６】
この変形例３−５の面光源装置１０２Ｂ５−３は、上述した変形例３−２（図２０参照）において、上側の各凸部及び各補助凸部と下側の各凸部及び各補助凸部とをＹ方向（上下方向）で一部重なるように設けたものである。
この重なりは、図２０においては、Ｘ方向（左右方向）に並設する形態にして実現しているが、これに限らず、前後方向に並設する形態にして実現してもよい。
【０１２７】
これにより、上側の凸部８ａ−４Ａの下通気口８ａ２−４Ａ及び上側の補助凸部８８ａａ−４Ａ〜８８ａｅ−４Ａの下通気口８８ａ２−４Ａが、下側の凸部８ａ−４Ｂの上通気口８ａ１−４Ｂ及び下側の補助凸部８８ａａ−４Ｂ〜８８ａｅ−４Ｂの上通気口８８ａ１−４Ｂよりも下方に位置することになる。
従って、下方に配置された冷陰極管１１ＬＴの発熱で暖められ、下側の各凸部及び補助凸部の上通気口８ａ１−４Ｂ及び上通気口８８ａ１−４Ｂから排出された暖気が、上側の各凸部及び補助凸部の下通気口８ａ２−４Ａ及び下通気口８８ａ２−４Ａから流入することがないので、上側の冷陰極管１１ＬＴの冷却効率がより向上するものである。
【０１２８】
これは、冷陰極管からの発熱が特に多い場合や、この面光源装置の周囲温度や搭載された画像表示装置の内部温度が高い場合などに特に有効な形態である。
【０１２９】
凸部８ａ−４Ａの上端側と凸部８ａ−４Ｂの下端側は、冷陰極管１１ＬＴの電極部１３に対応する位置まで延在しているが、特に電極部１３の範囲が狭い場合などには、各凸部を、図２３のような直線状に限らず、屈曲させて、あるいは、曲線状にして電極部直上に位置するように設けるとよい。
【０１３０】
（変形例３−６：図２４参照）
【０１３１】
この変形例３−６の面光源装置１０２Ｂ６−３は、上述した変形例３−５（図２３参照）において、凸部及び補助凸部を、そのＹ方向の延在長Ｌ１Ａ，Ｌ１Ｂ，Ｌ３１Ａ〜Ｌ３５Ａ，Ｌ３１Ｂ〜Ｌ３５Ｂが異なるように形成したものである。
従って、その長さの設定によって、上側の凸部または補助凸部と、これに対応する下側の凸部または補助凸部とがＹ方向で重ならない場合もあり得る。
図２４においては、凸部Ｌ１Ａ及び凸部Ｌ１Ｂ同士がＹ方向に重なり、補助凸部は重ならない形態を示している。
【０１３２】
このように、冷陰極管１１ＬＴの発熱量や長手方向の発熱分布、さらには、導光板２の２次元的温度分布に応じて、凸部や補助凸部の延在長Ｌ１Ａ，Ｌ１Ｂ，Ｌ３１Ａ〜Ｌ３５Ａ，Ｌ３１Ｂ〜Ｌ３５Ｂを適宜設定することで、冷陰極間１１ＬＴの温度を最大発光輝度が得られるように制御すると共に、導光板２の温度むらを良好に抑制することができる。
【０１３３】
上述した例３における導光板２の温度上昇抑制効果について、変形例３−６（図２４）を代表として図２５，図２６を用いて説明する。
【０１３４】
図２５は、例３の変形例３−６における凸部８ａ−４Ａ，８ａ−４Ｂ及び補助凸部８８ａａ−４Ａ〜８８ａｅ−４Ａ，８８ａａ−４Ｂ〜８８ａｅ−４Ｂを備えていないフレームを用いた面光源装置における導光板２の温度分布を示す図及びグラフである。
図２６は、例３の変形例３−６の面光源装置１０２Ｂ６−３における導光板２の温度分布を示す図及びグラフであり、図２５に対応する図である。
両図共、導光板２と２本の冷陰極管１１ＬＴとを示し、導光板２の一点鎖線で示す位置での温度を、グラフで示している。
また、図２５と図２６とのグラフのスケールは同一である。
【０１３５】
図２５において、Ｘ方向の温度分布については、冷陰極管１１ＬＴに近いＡ−Ａ’及びＢ−Ｂ’位置での温度が、冷陰極管１１ＬＴから遠いＣ−Ｃ’の位置での温度よりも高く、特に電極部１３に近くなる程その差が大きくなることがわかる。
また、Ｙ方向の温度分布については、導光板２の中央部であるＥ−Ｅ’位置での温度よりも、左右両端部側であるＤ−Ｄ’，Ｆ−Ｆ’の位置での温度の方が高く、特に冷陰極管１１ＬＴに近くなる程その差が大きくなることがわかる。
【０１３６】
一方、図２６において、Ｘ方向の温度分布については、冷陰極管１１ＬＴに近いＡ−Ａ’及びＢ−Ｂ’位置での温度と、冷陰極管１１ＬＴから遠いＣ−Ｃ’の位置での温度との差が、図２５の場合と比べて極めて小さくなっており、また、その差もＸ方向でほぼ一定となっている。
また、Ｙ方向の温度分布については、導光板２の中央部であるＥ−Ｅ’位置での温度と、左右両端部側であるＤ−Ｄ’，Ｆ−Ｆ’の位置での温度との差が、図２５の場合と比べて極めて小さくなっており、また、その差のＹ方向変化も極めて小さくなっている。
【０１３７】
このように、例３（変形例３−６）の面光源装置１０２Ｂ６−３は、導光板２の温度分布において、上下に配置された各冷陰極管１１ＬＴの電極部１３近傍の局部的温度上昇を極めて良好に抑制すると共に、導光板２全体の温度むらを抑制してより均一な温度とすることができている。
また、図１７〜図２４に示したように、上側凸部，上側補助凸部（上側中間凸部），下側凸部，下側補助凸部（下側中間凸部）は、冷陰極管１１ＬＴ側を起点として、その冷陰極管１１ＬＴから離隔するように導光板２の途中の位置まで延在させるのが望ましい。
このように、延在範囲を導光板２の途中の位置までとするのは、凸部や中間凸部を設けたことによる空気の流動により、導光板２の、光源１１ＬＴから或る程度距離が離れた部位の必要以上の温度低下を防止して、導光板２全体の温度分布をより均一にすることができるからである。
【０１３８】
この効果は、導光板２のＹ方向（冷陰極管に直交する上下方向）のみならず、Ｘ方向（冷陰極管の長手方向）の温度分布にも着目し、パネル８に、両方向の相互影響を考慮した形状及び配置で凸部８ａ−４Ａ，８ａ−４Ｂや補助凸部８８ａａ−４Ａ〜８８ａｅ−４Ａ，８８ａａ−４Ｂ〜８８ａｅ−４Ｂを設け、そのＸ方向の長さＬ１Ａ，Ｌ１ＢやＬ３１Ａ〜Ｌ３５Ａ，Ｌ３１Ｂ〜Ｌ３５Ｂを、導光板２の温度分布に対応した長さにしたことにより得られたものである。
【０１３９】
従って、例３やその変形例３−１〜変形例３−６の面発光装置を備えた液晶表示装置は、面発光装置がその上下両側に冷陰極管を備えているので高輝度が得られる共に、画面の輝度むらが極めて少なくなる。
さらに、その液晶表示装置を用いた画像表示装置は、大画面であっても高輝度で輝度むらのない画像が得られ、市場要望に応えることができる。
【０１４０】
上述した各例は、その構成及び手順が上述したものに限定されず、本発明の要旨を逸脱しない範囲において他の変形例としてもよいのは言うまでもない。
【０１４１】
例えば、凸部や補助凸部の幅や高さは一定でなくてもよい。図２０及び図２２を用いて説明すると、これらの図において、凸部８ａ−４ＡのＸ方向の幅Ｗｔを、補助凸部８ａａ−４Ａなどの幅Ｗｈｔよりも広く形成してある。
一方、高さは、凸部８ａ−４Ａ（Ｂ）の高さＨｔを、補助凸部８ａａ−４Ａ（Ｂ）〜８８ａｅ−４Ａ（Ｂ）の高さＨｈｔよりも高く形成してある。
このように、幅または高さを変えることで流路の断面積が変わるので、凸部や補助凸部による冷却効率を最適化することができる。
【０１４２】
上述した各変形例や他の変形例を自由に組み合わせてもよいことは言うまでもない。
【図面の簡単な説明】
【０１４３】
【図１】本発明の画像表示装置の実施例を説明するための断面図である。
【図２】本発明の液晶表示装置の実施例を説明するための組み立て図である。
【図３】各例で用いるランプユニットを説明するための断面図である。
【図４】例１の面光源装置を説明するための斜視図である。
【図５】例１の面光源装置の構造を説明するための断面図である。
【図６】例１の面光源装置の変形例１−１を説明するための斜視図である。
【図７】例１の面光源装置の変形例１−２を説明するための斜視図である。
【図８】例１の面光源装置の変形例１−３を説明するための斜視図である。
【図９】例１の面光源装置の変形例１−４を説明するための斜視図である。
【図１０】例１の面光源装置に対する比較例における温度分布を説明するための図である。
【図１１】例１の面光源装置における導光板の温度分布を説明するための図である。
【図１２】例２の面光源装置の変形例を説明するための斜視図である。
【図１３】例２の面光源装置の他の変形例を説明するための斜視図である。
【図１４】例２の面光源装置の別の変形例を説明するための斜視図である。
【図１５】例２の面光源装置に対する比較例における温度分布を説明するための図である。
【図１６】例２の面光源装置における導光板の温度分布を説明するための図である。
【図１７】例３の面光源装置を説明するための斜視図である。
【図１８】例３の面光源装置の構成を説明するための断面図である。
【図１９】例３の面光源装置の変形例３−１を説明するための斜視図である。
【図２０】例３の面光源装置の変形例３−２を説明するための斜視図である。
【図２１】例３の面光源装置の変形例３−３を説明するための斜視図である。
【図２２】例３の面光源装置の変形例３−４を説明するための斜視図である。
【図２３】例３の面光源装置の変形例３−５を説明するための斜視図である。
【図２４】例３の面光源装置の変形例３−６を説明するための斜視図である。
【図２５】例３の面光源装置に対する比較例における温度分布を説明するための図である。
【図２６】例３の面光源装置における導光板の温度分布を説明するための図である。
【図２７】冷陰極管の温度特性を説明するためのグラフである。
【図２８】冷陰極管の構造を説明するための平面図である。
【符号の説明】
【０１４４】
１  液晶パネル
２  導光板
２ａ，２ｂ  長手端面
２ｐ，２ｐＡ  上端の位置
２ｐＢ  上端の位置
３  前カバー
４  モールドフレーム
５  パネル保持用スペーサ
６Ａ，６Ｂ  光学シート
７  反射シート
８  フレーム
８ａ，８ａ−１，８ａ−２，８ａ−３，８ａ−４Ａ，８ａ−４Ｂ  凸部
８ａ１，８ａ１−２，８ａ１−３，８ａ１−４Ａ，８ａ１−４Ｂ  上通気口
８ａ２，８ａ２−２，８ａ２−３，８ａ２−４Ａ，８ａ２−４Ｂ  下通気口
８ａＲ，８ａＲ−１，８ａＲＡ，８ａＲＢ  流路
８ｐ，８ｐＡ  （流路の）上端の位置
８ｐＢ  下端の位置
９  インバータ基板
１０  後カバー
１１Ａ，１１Ｂ  ランプユニット
１１ＬＴ  冷陰極管
１１ＲＦ  反射板
１１ＲＦ１  開口部
１２  放熱板
１３  電極部
１３ａ  電極
１３ｂ  端子
８８ａ，８８ａａ〜８８ａｅ，８８ａａ−４Ａ〜８８ａｅ−４Ａ，８８ａａ−４Ｂ〜８８ａｅ−４Ｂ  補助凸部
８８ａ１  上通気口
８８ａ２，８８ａａ２〜８８ａｅ２  下通気口
８９，８９Ａ，８９Ｂ  連結路
１０１  画像表示装置
１０１Ｆ  フロントカバー
１０１Ｆ１  画面開口部
１０１ＫＢ  シャーシ基板
１０１ＫＴ  筐体
１０１ＫＴ１  傾斜部
１０１Ｒ  リアカバー
１０２  液晶表示装置
１０２Ｂ  面光源装置
１０２Ｂ１〜１０２Ｂ４  面光源装置（変形例）
１０２Ｂ−２，１０２Ｂ−３  面光源装置（例２，例３）
１０２Ｂ３−３，１０２Ｂ４−３，１０２Ｂ５−３，１０２Ｂ６−３  面光源装置（例３の変形例）
Ａ  空気流
Ａｃ，Ａｃ1，Ａｃ３１〜Ａｃ３５  （暖められていない）雰囲気温度の空気
Ａｗ  （暖められた）空気
Ｈｔ，Ｈｔｈ  高さ
Ｌ１，Ｌ１Ａ，Ｌ１Ｂ  （凸部の）長さ
Ｌ２，Ｌ３１〜Ｌ３５，Ｌ３１Ａ〜Ｌ３５Ａ，Ｌ３１Ｂ〜Ｌ３５Ｂ  （補助凸部の）長さ
Ｐ  （凸部（補助凸部）の）ピッチ
ＳＰ  空間
Ｗ１，Ｗ２，Ｗ１−２，Ｗｔ，Ｗｈｔ  （凸部の）幅
【図１】
2008153164.tif 000003
【図２】
2008153164.tif 000004
【図３】
2008153164.tif 000005
【図４】
2008153164.tif 000006
【図５】
2008153164.tif 000007
【図６】
2008153164.tif 000008
【図７】
2008153164.tif 000009
【図８】
2008153164.tif 000010
【図９】
2008153164.tif 000011
【図１０】
2008153164.tif 000012
【図１１】
2008153164.tif 000013
【図１２】
2008153164.tif 000014
【図１３】
2008153164.tif 000015
【図１４】
2008153164.tif 000016
【図１５】
2008153164.tif 000017
【図１６】
2008153164.tif 000018
【図１７】
2008153164.tif 000019
【図１８】
2008153164.tif 000020
【図１９】
2008153164.tif 000021
【図２０】
2008153164.tif 000022
【図２１】
2008153164.tif 000023
【図２２】
2008153164.tif 000024
【図２３】
2008153164.tif 000025
【図２４】
2008153164.tif 000026
【図２５】
2008153164.tif 000027
【図２６】
2008153164.tif 000028
【図２７】
2008153164.tif 000029
【図２８】
2008153164.tif 000030